(57)【要約】【課題】ブラインドが設けられるサッシの開口部の面積を広くとることができるブラインドの駆動装置を提供する。【解決手段】室内側に設けられる第１のサッシ２００と、室外側に設けられ、ブラインド４００を備えた第２のサッシ３００とからなるサッシ組に設けられて、ブラインド４００を駆動するための駆動装置１００であって、第１のサッシ２００に設けられる操作部１１０と、第１のサッシ２００に設けられて、操作部１１０の操作により駆動される駆動部１２０と、第２のサッシ３００に設けられて、サッシ組の閉鎖状態において、第１のサッシ２００の駆動部１２０と連結されることにより動力が伝達されてブラインド４００を駆動する従動部１３０と、を備えた。【選択図】図１
2015117537.tif 000002
【特許請求の範囲】
【請求項１】
室内側に設けられる第１のサッシ（２００）と、室外側に設けられ、ブラインド（４００）を備えた第２のサッシ（３００）とからなるサッシ組に設けられて、前記ブラインドを駆動するためのブラインドの駆動装置（１００）であって、
前記第１のサッシに設けられる操作部（１１０）と、
前記第１のサッシに設けられて、前記操作部の操作により駆動される駆動部（１２０）と、
前記第２のサッシに設けられて、前記サッシ組の閉鎖状態において、前記第１のサッシの前記駆動部と連結されることにより動力が伝達されて前記ブラインドを駆動する従動部（１３０）と、
を備えたことを特徴とするブラインドの駆動装置。
【請求項２】
前記駆動部は駆動軸（１２２）を、前記従動部は従動軸（１３２）をそれぞれ備え、
前記駆動軸と前記従動軸のうちの少なくともどちらか一方が、付勢手段（１２３、１３３）によって第１のサッシと第２のサッシの互いに対向する面よりも突出しているとともに軸方向に摺動自在であり、かつ前記駆動軸と前記従動軸の両方が軸の周りに回転自在であり、
前記駆動軸と前記従動軸には、互いに係合する係合部（１２２ａ−１、１３２ａ−１）がそれぞれ設けられており、
前記駆動軸と前記従動軸とは、互いの係合部が係合することにより一体に回転することを特徴とする請求項１記載のブラインドの駆動装置。
【請求項３】
前記駆動軸と前記従動軸とは、互いの係合部が係合していないときは一方の軸が他方の軸を互いに係合することができない位置まで軸方向に押圧することを特徴とする請求項２記載のブラインドの駆動装置。
【請求項４】
前記駆動軸と前記従動軸とは、互いの係合部が係合するまでは相対的に回転することを特徴とする請求項２又は請求項３記載のブラインドの駆動装置。
【請求項５】
前記駆動軸は前記第１付勢手段（１２３）によって常時付勢されており、
前記従動軸は、前記第２付勢手段（１３３）によって前記従動軸の先端が前記第２のサッシの室内側の面と面一となるように常時付勢されており、前記第２付勢手段の付勢力が前記第１付勢手段の付勢力よりも小さく設定されていることを特徴とする請求項２〜請求項４のいずれか１項に記載のブラインドの駆動装置。
【請求項６】
窓枠に取付けられたブラインドを駆動するためのブラインドの駆動装置であって、
前記ブラインドに着脱自在に取付けられ、前記ブラインドの駆動を操作する操作部と、
前記ブラインドに着脱自在に取付けられ、前記操作部の操作により駆動される駆動部と、
前記ブラインドに設けられて、前記駆動部と連結することにより動力が伝達されて前記ブラインドを駆動する従動部と、
を備え、
前記駆動部と前記従動部とは、互いに係合する係合部をそれぞれ備え、互いの係合部が係合することにより動力が伝達されることを特徴とするブラインドの駆動装置。
【発明の詳細な説明】
【技術分野】
【０００１】
本発明は、ブラインドを駆動するためのブラインドの駆動装置に関する。
【背景技術】
【０００２】
サッシ枠の内部室内外に複数の窓ガラスを離間して配置し、これら窓ガラスの間に画成された空間部にブラインドを配置したものが知られている（特許文献１参照）。このようなブラインドでは、遮蔽材はサッシ枠に支持されており、遮蔽材を支持しているサッシ枠のいずれか一方の側枠に設けられている駆動装置によって、遮蔽材を開閉駆動している。この駆動装置は、一方の側枠に室内側に突出するように設けられ、遮蔽材の開閉駆動を操作するチルト操作ダイヤルと、一方の側枠の内部に設けられ、チルト操作ダイヤルの操作を遮蔽材に伝達する駆動軸、ピニオン、ラック、伝動コードなどからなる機構と、によって構成される。
【先行技術文献】
【特許文献】
【０００３】
【特許文献１】特開２０１０−２２２９２４号公報
【特許文献２】特開２００５−３４４４８４号公報
【発明の概要】
【発明が解決しようとする課題】
【０００４】
ところで、このようなサッシ枠に設けられる駆動装置は、遮蔽材が配設されているサッシのサッシ枠に設けられている。このため、室外側のサッシに設けられている遮蔽材を開閉するためのチルト操作ダイヤルは、サッシを閉鎖した際に、室内側のサッシ枠と重複配置されない部分に設けられる必要がある。よって、チルト操作ダイヤルは室内側のサッシ枠と重複配置されない位置に設けられなければならないため、サッシの開口部方向に張り出して設けられることになる。このため、室外側のサッシの開口部の幅が狭くなり、その結果、開口部の面積が狭くなってしまうという問題があった。
【０００５】
ところで、仮に、遮蔽材の開閉を操作するチルト操作ダイヤルなどの操作部を遮蔽材が配設されているサッシに設けず、ブラインドに対して着脱自在に設けるようにすると（特許文献２参照）、開口部の面積を広くすることができる。このような構成によっても、操作部と遮蔽材を開閉するための機構とが連結されることによって、操作部の操作が機構に伝達され、遮蔽材が開閉することになる。この場合、操作部をブラインドから一旦取外し、再び取付けたときに、操作部の動作位置と、機構の動作位置とが取り外したときの状態を維持していないと、操作部を再び取付けたときに、互いの動作位置がずれた状態のまま動力が伝達されることになる。しかし、ブラインドから取り外された操作部は、何かに触れるなどして動作位置が変わってしまう可能性がある。したがって、操作部と機構とは、必ずしも取外したときの状態で連結されるとは限らない。このため、操作部の動作位置と機構の動作位置とがずれた状態のまま動力が伝達されてしまい、ブラインドを正常に駆動させることができない可能性があるという問題がある。
【０００６】
そこで、本発明は、このような問題に鑑みてなされたもので、その目的とするところは、操作部とブラインドを駆動する機構とが着脱自在であっても、ブラインドを正常に駆動させることができ、さらに、操作部とブラインドを駆動する機構とが着脱自在な構成をサッシに適用することにより、遮蔽材を支持するサッシの開口部の面積を広くとることができるブラインドの駆動装置を提供することにある。
【課題を解決するための手段】
【０００７】
上記課題を解決するために、本発明によれば、室内側に設けられる第１のサッシと、室外側に設けられ、ブラインドを備えた第２のサッシとからなるサッシ組に設けられて、前記ブラインドを駆動するためのブラインドの駆動装置であって、第１のサッシに設けられる操作部と、第１のサッシに設けられて、操作部の操作により駆動される駆動部と、第２のサッシに設けられて、サッシ組の閉鎖状態において、第１のサッシの駆動部と連結されることにより動力が伝達されてブラインドを駆動する従動部と、を備えたことを特徴とするブラインドの駆動装置が提供される。
【０００８】
かかる発明によれば、ブラインドを駆動する駆動装置を、ブラインドを備えた室外側の第２のサッシと、室内側の第１のサッシとに分割して設け、室内側の第１のサッシに操作部を設けたことにより、サッシ組の開閉状態にかかわらず操作部を室内側に露出させることができて、第２のサッシの開口部を狭める必要がなくなる。よって、第１、第２のサッシの開口部の面積を広くとることができる。
【０００９】
また、駆動部は駆動軸を、従動部は従動軸をそれぞれ備え、駆動軸と従動軸のうちの少なくともどちらか一方が、付勢手段によって第１のサッシと第２のサッシの互いに対向する面よりも突出しているとともに軸方向に摺動自在であり、かつ駆動軸と従動軸の両方が軸の周りに回転自在であり、駆動軸と従動軸には、互いに係合する係合部がそれぞれ設けられており、駆動軸と従動軸とは、互いの係合部が係合することにより一体に回転するようにしてもよい。このように、駆動軸と従動軸は係合部同士の係合によって一体に回転するため、駆動軸の回転を従動軸に確実に伝達することができる。これにより、ブラインドを駆動する駆動装置を、ブラインドを備えた室外側の第２のサッシと、室内側の第１のサッシとに分割して設けても、室内側の第１のサッシに設けられた操作部の操作を室外側の第２のサッシに設けられたブラインドに確実に伝達することができる。
【００１０】
さらに、駆動軸と従動軸とは、互いの係合部が係合していないときは一方の軸が他方の軸を互いに係合することができない位置まで軸方向に押圧するようにしてもよい。これにより、例えば、サッシ組が開放されているときに、操作部が誤操作されて駆動軸が回転し、駆動軸と従動軸の係合部同士の位置がずれてしまった状態で、サッシ組を閉鎖した場合、一方の軸が他方の軸を互いに係合することができない状態のまま押圧することになる。このため、駆動軸と従動部の係合部同士が係合しないため、操作部を操作しても、駆動軸から従動軸に動力が伝達されず、誤操作を防止することができる。これにより、ブラインドを駆動する駆動装置を、ブラインドを備えた室外側の第２のサッシと、室内側の第１のサッシとに分割して設けても、室内側の第１のサッシに設けられた操作部の操作によって発生する動力が室外側の第２のサッシに設けられたブラインドに誤った位置関係にある状態のまま伝達されることが防止される。
【００１１】
また、駆動軸と従動軸とは、互いの係合部が係合するまでは相対的に回転するようにしてもよい。このため、駆動軸の係合部が正常な位置に戻るまでは、従動軸の係合部と係合しないため、操作部の位置がリセットされ、駆動軸と従動軸とを正常な位置関係に戻すことができる。これにより、ブラインドを駆動する駆動装置を、ブラインドを備えた室外側の第２のサッシと、室内側の第１のサッシとに分割して設けても、室内側の第１のサッシに設けられた操作部及び駆動部と、室外側の第２のサッシに設けられた従動部とを常時正常な位置関係で動作させることができる。
【００１２】
ここで、駆動軸は第１付勢手段によって常時付勢されており、従動軸は、第２付勢手段によって従動軸の先端が第２のサッシの室内側の面と面一となるように常時付勢されており、第２付勢手段の付勢力が第１付勢手段の付勢力よりも小さく設定されているようにしてもよい。これにより、サッシ組が開放されているときなどのように、駆動軸と従動軸とが離間しているときに、第２のサッシの室内側の面が従動軸の先端によって塞がれるため、第２のサッシ内に異物が侵入することを防止することができる。これにより、ブラインドを駆動する駆動装置を、ブラインドを備えた室外側の第２のサッシと、室内側の第１のサッシとに分割して設けても、異物の侵入などによる駆動装置の故障を防止することができる。
【００１３】
また、本発明によれば、窓枠に取付けられたブラインドを駆動するためのブラインドの駆動装置であって、ブラインドに着脱自在に取付けられ、ブラインドの駆動を操作する操作部と、ブラインドに着脱自在に取付けられ、操作部の操作により駆動される駆動部と、ブラインドに設けられて、駆動部と連結することにより動力が伝達されてブラインドを駆動する従動部と、を備え、前記駆動部と前記従動部とは、互いに係合する係合部をそれぞれ備え、互いの係合部が係合することにより動力が伝達されることを特徴とするブラインドの駆動装置が提供される。
【００１４】
かかる発明によれば、例えば、ブラインドの左右で操作位置を変更するために、操作部及び駆動部をブラインドから一旦取外した後に、駆動部の係合部の位置が変わったとしても、駆動部と従動部とは、互いの係合部同士が係合することによって動力が伝達される構成であるため、駆動部は、必ず、取外したときの係合部の位置で従動部と係合することになる。このため、駆動部と従動部の位置がずれた状態のまま動力が伝達されることを防止することができる。これにより、ブラインドを駆動する駆動装置をブラインドと、ブラインドとは別体の部分とに分割しても、常時ブラインドを正常に駆動させることができる。
【００１５】
また、例えば、操作部及び駆動部に操作プーリを用い、従動部に回転軸を用いた場合、操作プーリの回転位置と回転軸の回転位置との関係が変わると、操作チェーンのコネクタが操作プーリに引っ掛ってしまい操作できなくなるなどの操作不良が起こる場合がある。しかし、上述の機構によれば、操作プーリの回転位置と回転軸の回転位置とが変わることなく連結されるため、操作不良を防止することができる。
【００１６】
また、電動ブラインドの場合、駆動部となるモータの軸と従動部となる回転軸に互いに係合する係合部を設けることにより、これらの位置決めにも利用することができる。
【発明の効果】
【００１７】
本発明によれば、ブラインドを駆動する駆動装置を、ブラインドを備えた室外側の第２のサッシと、室内側の第１のサッシとに分割して設け、室内側の第１のサッシに操作部を設けたことにより、操作部を室内側に露出させるために、第２のサッシの開口部を狭める必要がない。よって、第１、第２のサッシの開口部の面積を広くとることができる。
本発明のその他の効果については、以下の発明を実施するための形態の項でも説明する。
【図面の簡単な説明】
【００１８】
【図１】本発明の第１の実施形態に係るブラインドの駆動装置を実施したサッシ組の正面図である。
【図２】第１のサッシと第２のサッシを開放した状態を示す部分斜視図である。
【図３】開放された第１のサッシ及び第２のサッシの駆動装置付近の側断面図である。
【図４】開放された第１のサッシ及び第２のサッシの駆動装置付近の断面図である。
【図５Ａ】第１の実施形態の動作の流れを説明する図であり、（ａ）は、第１のサッシと第２のサッシが開放された状態を示す側断面図であり、（ｂ）は、（ａ）のＢ−Ｂ断面図であり、（ｃ）は、（ａ）のＡ−Ａ断面図である。
【図５Ｂ】第１の実施形態の動作の流れを説明する図であり、（ａ）は、第１のサッシと第２のサッシとが閉鎖された状態を示す側断面図であり、（ｂ）は、（ａ）のＣ−Ｃ断面図である。
【図５Ｃ】第１の実施形態の動作の流れを説明する図であり、（ａ）は、スラットを閉じた状態を示す側断面図であり、（ｂ）は、（ａ）のＤ−Ｄ断面図である。
【図５Ｄ】第１の実施形態の動作の流れを説明する図であり、（ａ）は、駆動軸と従動軸の係合部同士の位置が一致していない状態でサッシを閉鎖した状態を示す側断面図であり、（ｂ）は、（ａ）のＥ−Ｅ断面図である。
【図６Ａ】第１のサッシと第２のサッシを開放した状態を示す断面図である。
【図６Ｂ】第１のサッシと第２のサッシを閉鎖した状態を示す断面図である。
【図６Ｃ】第１のサッシと第２のサッシを閉鎖して操作部を操作した状態を示す断面図である。
【図７Ａ】スラットが水平状態のときの駆動力の伝達を示す模式図である。
【図７Ｂ】スラットが閉鎖状態のときの駆動力の伝達を示す模式図である。
【図８】第２の実施形態の駆動装置の斜視図である。
【図９】第３の実施形態の駆動装置の斜視図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
第１の実施形態に係るブラインドの駆動装置について、図１〜図４を参照しながら説明する。
まず、本実施形態に係るブラインドの駆動装置の構成を説明する。駆動装置１００は、図１に示すように、図示していない建物の窓用開口の室内側に設けられる第１のサッシ２００と、同じく窓用開口の室外側に配置される第２のサッシ３００とからなるサッシ組に設けられ、第２のサッシ３００に設けられるブラインド４００を駆動する。なお、本実施形態においては、第１のサッシ２００と第２のサッシ３００によって片開き窓を構成するものとする。以下、各構成について詳細に説明する。
【００２１】
（第１のサッシ２００）
第１のサッシ２００は、図１及び図２に示したように、ガラス等がはめ込まれていない枠のみで構成されており、図示していない建物の窓用開口に固定されている。第１のサッシ２００の下枠２１０内に駆動装置１００の後述する操作部１１０及び駆動部１２０が配設されている。下枠２１０の室内側の面には長手方向に延びる第１開口部２１１が形成されており、この第１開口部２１１を介して駆動装置１００の後述する操作つまみ１１３が室内に突出している。また、下枠２１０の室外側の面には、略逆Ｕ字状の第２開口部２１２が形成されており、この第２開口部２１２を介して駆動装置１００の後述する駆動部ケース１２１の円筒状支持部１２１ａの先端が突出している。
【００２２】
（第２のサッシ３００）
第２のサッシ３００は、図１及び図２に示したように、方形状の枠体３１０の室内側と屋外側にガラス３２０、３３０が離間してそれぞれ設けられている。そして、枠体３１０と、室内側のガラス３２０と、室外側のガラス３３０とによって密閉空間３４０が形成されている。また、第２のサッシ３００は、これの図２中右側の側枠３１１が第１のサッシ２００の側枠に連結されており、右側の側枠３１１を軸として室外方向に揺動するようになっている。第２のサッシ３００の密閉空間３４０内にブラインド４００及び駆動装置１００の後述する従動部１３０が設けられている。第２のサッシ３００の下枠３１２には、円筒形の第３開口部３１２ａが形成されており、駆動装置１００の後述の従動部ケース１３１の先端部が嵌め合わされている。
【００２３】
第１のサッシ２００と第２のサッシ３００は、これらを閉じた際に、互いの下枠２１０、下枠３１２同士が重なり合うように構成されている。
【００２４】
（ブラインド４００）
ブラインド４００は、図１に示したように、第２のサッシ３００の密閉空間３４０に設けられている。ブラインド４００は、ラダーコード４１０によって整列状態に支持される多数のスラット４２０と、第２のサッシ３００の上枠３１３内に配設されるヘッドボックス内においてラダーコード４１０の上端を巻取り及び巻解き可能に支持する回転ドラム４３０（なお、回転ドラム４３０は図１中１か所にしか現れていない）と、ヘッドボックスの長手方向全長にわたって延び、回転ドラム４３０を一体に回転するように貫通する回転軸４４０と、を備えて構成される。
【００２５】
ブラインド４００は、回転軸４４０の回転により、回転ドラム４３０が一体に回転し、回転ドラム４３０が、スラット４２０の前後に垂下するラダーコード４１０のうちの一方を巻き取るとともに、他方を巻き解くことにより、スラット４２０を回転させる。これにより、スラット４２０が開閉する。
【００２６】
（駆動装置１００）
駆動装置１００は、図１及び図２に示したように、第１のサッシ２００に設けられる操作部１１０と、第１のサッシ２００に設けられる駆動部１２０と、第２のサッシ３００に設けられる従動部１３０と、を備えて構成される。駆動部１２０は、操作部１１０の操作により駆動される。従動部１３０は、第１のサッシ２００と第２のサッシ３００とが閉鎖されている状態において、第１のサッシ２００の駆動部１２０と連結されることにより動力が伝達されてスラット４２０を開閉する。以下、駆動装置１００の各構成について詳細に説明する。
【００２７】
（操作部１１０）
操作部１１０は、図３及び図４に示したように、第１のサッシ２００の下枠２１０内に長手方向に摺動するように設けられ、下枠２１０の長手方向に延びる底部１１１ａと側部１１１ｂとによりなる断面略Ｌ字状の摺動部１１１と、底部１１１ａの上面に長手方向に延びるように設けられるラック１１２と、側部１１１ｂより突出する操作つまみ１１３と、を備えて構成される。摺動部１１１は、底部１１１ａが下枠２１０の底面側に、側部１１１ｂが下枠２１０の室内側の側面側に位置するように配置される。また、操作つまみ１１３は、前述のように、下枠２１０の室内側の面に設けられている第１開口部２１１を介して室内に突出している。これにより、室内の操作者が操作つまみ１１３を下枠２１０の長手方向に摺動させることにより、操作つまみ１１３と一体に摺動部１１１が下枠２１０の長手方向に摺動する。
【００２８】
（駆動部１２０）
駆動部１２０は、図３及び図４に示したように、第１のサッシ２００の下枠２１０内に固定される駆動部ケース１２１と、駆動部ケース１２１に回転可能に支持され、先端が下枠２１０から室外に突出する駆動軸１２２と、駆動軸１２２を室外に突出する方向に常時付勢する第１バネ（第１付勢手段）１２３と、を備えて構成される。以下、駆動部１２０の各構成について詳細に説明する。
【００２９】
（駆動部ケース１２１）
駆動部ケース１２１は、図３及び図４に示したように、下枠２１０内に固定されており、下枠２１０の第２開口部２１２を介して室外に突出する円筒状支持部１２１ａを備えている。円筒状支持部１２１ａは、下枠２１０内に配置されている部分である後部１２１ａ−１よりも室外に突出している部分である前部１２１ａ−２の方が肩部１２１ａ−３を形成して小径に形成されている。円筒状支持部１２１ａ内には、駆動軸１２２が回転可能かつ軸方向に摺動可能に挿入されている。
【００３０】
（駆動軸１２２）
駆動軸１２２は、図３及び図４に示したように、円筒状支持部１２１ａに軸方向に摺動自在であるとともに回転自在に支持されている回転摺動部１２２ａと、円筒状支持部１２１ａに回転自在に支持されている回転部１２２ｂと、を備えて構成されている。回転摺動部１２２ａと回転部１２２ｂとは、一体に回転し、かつ軸方向には相対移動するように構成されている。
【００３１】
図２に示したように、回転摺動部１２２ａの先端には、径方向に突出する第１係合部１２２ａ−１が円周方向の一部に形成されており、後端には、径方向に突出するつば部１２２ａ−２が円周方向全周に形成されている。このつば部１２２ａ−２は、回転摺動部１２２ａが摺動した際に、駆動部ケース１２１の肩部１２１ａ−３に当接することにより、回転摺動部１２２ａの円筒状支持部１２１ａから突出する方向へのそれ以上の摺動を規制するものである。回転摺動部１２２ａの先端は平面となっている。
【００３２】
回転部１２２ｂの後端には円筒状支持部１２１ａの後部１２１ａ−１よりも大径のピニオン１２２ｂ−１が形成されており、ピニオン１２２ｂ−１は円筒状支持部１２１ａの後端部と操作部１１０の側部１１１ｂとの間に位置し、これらの間で軸方向の移動が拘束されている。ピニオン１２２ｂ−１は、操作部１１０のラック１１２と噛み合っており、操作部１１０と一体にラック１１２が摺動することにより、ピニオン１２２ｂ−１が回転し、駆動軸１２２が回転駆動するようになっている。
【００３３】
（第１バネ１２３）
第１バネ１２３は、図３及び図４に示したように、回転摺動部１２２ａのつば部１２２ａ−２と回転部１２２ｂのピニオン１２２ｂ−１との間に配設されており、一端がつば部１２２ａ−２に、他端がピニオン１２２ｂ−１にそれぞれ連結されている。これにより、回転摺動部１２２ａは円筒状支持部１２１ａの先端から突出する方向に常時付勢されている。
【００３４】
（従動部１３０）
従動部１３０は、図３及び図４に示したように、第２のサッシ３００に固定される従動部ケース１３１と、従動部ケース１３１に軸方向に摺動自在であるとともに回転自在に支持される従動軸１３２と、従動軸１３２を従動部ケース１３１の開口端方向に常時押圧する第２バネ（第２付勢手段）１３３と、従動軸１３２の駆動を回転軸４４０に伝達する伝達部１３４と、を備えて構成される。
【００３５】
（従動部ケース１３１）
従動部ケース１３１は、図３及び図４に示したように、第２のサッシ３００の下枠３１２に固定されており、密閉空間３４０内に配置される大径部１３１ａと、下枠３１２の第３開口部３１２ａに嵌め合わされる小径部１３１ｂと、を備えて構成されている。従動部ケース１３１の小径部１３１ｂには、第１のサッシ２００と第２のサッシ３００が閉鎖し、互いの下枠２１０と下枠３１２同士が重なり合った際に、駆動部１２０の回転摺動部１２２ａが挿入されるようになっている。
【００３６】
（従動軸１３２）
従動軸１３２は、従動部ケース１３１に回転自在に支持された底付き円筒状の回転部１３２ａと、回転部１３２ａ内に軸方向に摺動自在に支持される摺動部１３２ｂと、を備えて構成されている。
【００３７】
回転部１３２ａは、図２に示したように、室内側に位置する開口端部の円周方向の一部が切り欠かれて、第２係合部１３２ａ−１が形成されている。第２係合部１３２ａ−１には前述の駆動軸１２２の第１係合部１２２ａ−１が係合して、駆動軸１２２と従動軸１３２とが一体に回転する。また、回転部１３２ａの室外側の端部には、第１プーリ１３２ａ−２が形成されている。
【００３８】
摺動部１３２ｂも底付き円筒状の形状を有しており、回転部１３２ａ内に軸方向に摺動自在に挿入されている。摺動部１３２ｂの底部が回転部１３２ａの開口端部側に位置するように配置されており、これにより、回転部１３２ａの開口端部が摺動部１３２ｂの底部によって閉塞されるようになっている。摺動部１３２ｂの先端は平面となっており、駆動軸１２２の回転摺動部１２２ａの先端の平面と当接した際に、互いが係合することなく相対回転するようになっている。
【００３９】
（第２バネ１３３）
第２バネ１３３は、回転部１３２ａと摺動部１３２ｂとによって画成される空間に設けられており、第２バネ１３３の一端は回転部１３２ａの底部に、他端は摺動部１３２ｂの底部にそれぞれ連結されている。第２バネ１３３が自然長のときに、摺動部１３２ｂの底部は、回転部１３２ａの開口端部に位置するようになっている。この第２バネ１３３の押圧力は、駆動部１２０の第１バネ１２３の押圧力よりも小さく設定されている。
【００４０】
（伝達部１３４）
伝達部１３４は、図１及び図４に示したように、回転軸４４０の端部に設けられる第２プーリ１３４ａと、この第２プーリ１３４ａと従動部１３０の第１プーリ１３２ａ−２とにそれぞれ巻き掛けられた無端状のワイヤ１３４ｂと、を備えて構成される。ワイヤ１３４ｂは、第２プーリ１３４ａに巻き掛けられた後、第２のサッシ３００の左側の側枠３１４内を下降し、側枠３１４の下端で折り曲げられ、下枠３１２内を配回されて第１プーリ１３２ａ−２に巻き掛けられる。これにより、従動部１３０の第１プーリ１３２ａ−２が回転すると、ワイヤ１３４ｂを介して第２プーリ１３４ａが回転し、第２プーリ１３４ａと一体に回転軸４４０が回転するようになっている。
【００４１】
次に、本実施形態の動作について、図５Ａ〜図５Ｄ及び図６Ａ〜図６Ｃを参照しながら説明する。
第１のサッシ２００と第２のサッシ３００とが開放されているときには、図５Ａ（ａ）及び図６Ａに示したように、第１のサッシ２００の下枠２１０と第２のサッシ３００の下枠３１２とが離隔している。これにより、駆動部１２０と従動部１３０とが離隔しており、駆動部１２０の動力が従動部１３０に伝達されることはない。また、駆動部１２０の駆動軸１２２の第１係合部１２２ａ−１と、従動部１３０の従動軸１３２の第２係合部１３２ａ−１とは、図５Ａの（ｂ）と（ｃ）に示したように、ともに離隔したときの状態のまま上方に位置している。
【００４２】
この状態において、駆動部１２０は、駆動軸１２２の回転摺動部１２２ａが、第１バネ１２３の弾性力により第１のサッシ２００から室外方向に押圧されて、つば部１２２ａ−２が肩部１２１ａ−３に当接した最も突出した状態となっている。
【００４３】
一方、従動部１３０は、第２バネ１３３が自然長の長さになっており、従動軸１３２の摺動部１３２ｂが最も突出した状態となっている。このため、回転部１３２ａの開口端部が摺動部１３２ｂの底部によって閉塞されている。このように、第１のサッシ２００と第２のサッシ３００とが開放されているときに、回転部１３２ａの開口端部が摺動部１３２ｂの底部によって閉塞されるため、従動部ケース１３１内にゴミなどの異物が侵入することが防止されている。
【００４４】
次に、第１のサッシ２００と第２のサッシ３００とを閉鎖すると、図５Ｂ（ａ）及び図６Ｂに示したように、第１のサッシ２００の下枠２１０と第２のサッシ３００の下枠３１２とが重なり合う。これにより、駆動軸１２２の回転摺動部１２２ａの位置と、従動軸１３２の摺動部１３２ｂの位置とが一致する。このとき、図５Ｂ（ｂ）に示したように、回転摺動部１２２ａの第１係合部１２２ａ−１の位置と、回転部１３２ａの第２係合部１３２ａ−１の位置とが一致していると、摺動部１３２ｂを押圧している第２バネ１３３の押圧力が、回転摺動部１２２ａを押圧している第１バネ１２３の押圧力よりも小さいため、回転摺動部１２２ａは、摺動部１３２ｂを回転部１３２ａ内に押し込みながら、従動部ケース１３１及び回転部１３２ａ内に挿入される。これにより、回転摺動部１２２ａの第１係合部１２２ａ−１と回転部１３２ａの第２係合部１３２ａ−１とが係合するため、駆動軸１２２の回転摺動部１２２ａの回転が従動軸１３２の回転部１３２ａに伝達される状態になる。
【００４５】
以上のように、第１係合部１２２ａ−１と第２係合部１３２ａ−１とが係合し、回転摺動部１２２ａの回転が回転部１３２ａに伝達される状態において、ブラインド４００を駆動することができる。
【００４６】
次に、ブラインド４００が駆動する際の動作について、図５Ｂ、図５Ｃ、図６Ｂ、図６Ｃ、図７Ａ及び図７Ｂを参照しながら説明する。
【００４７】
図６Ｂ及び図７Ａに示したように、スラット４２０が水平状態のときには、操作つまみ１１３が下枠２１０の第１開口部２１１の長手方向中央に位置し、ピニオン１２２ｂ−１がラック１１２の長手方向中央位置で噛み合う状態となっている。このとき、回転摺動部１２２ａの第１係合部１２２ａ−１と回転部１３２ａの第２係合部１３２ａ−１とは、図５Ｂ（ｂ）に示したように、上部に位置している。
【００４８】
次に、室内から操作者が操作つまみ１１３を第１開口部２１１の図６Ｃ及び図７Ｂ中矢印Ａで示す右方向に摺動させる。これにより、摺動部１１１が下枠２１０内を図中右方向に摺動するため、ラック１１２が摺動し、ラック１１２と噛み合っているピニオン１２２ｂ−１によって回転部１２２ｂが図７Ｂ中矢印Ｂ方向に回転する。この回転部１２２ｂの回転は、回転摺動部１２２ａ、及び回転摺動部１２２ａと係合している回転部１３２ａを介して第１プーリ１３２ａ−２に伝達される。これにより、第１プーリ１３２ａ−２が図７Ｂ中矢印Ｃ方向に回転するため、ワイヤ１３４ｂを介して第２プーリ１３４ａとともに回転軸４４０が回転駆動する。よって、前述のように、ラダーコード４１０の一方が回転ドラム４３０に巻き取られるとともに他方が巻き解かれて、図５Ｃ（ａ）及び図７Ｂに示すようにスラット４２０が回転し、閉じる。このとき、回転摺動部１２２ａの第１係合部１２２ａ−１と回転部１３２ａの第２係合部１３２ａ−１とは、図５Ｃ（ｂ）に示したように、斜め下方に位置している。
【００４９】
なお、スラット４２０を再び水平状態にするには、操作者が操作つまみ１１３を第１開口部２１１の図６Ｃ及び図７Ｂ中左方向に摺動させて、図６Ｂに示したように、第１開口部２１１の長手方向中央に位置させる。これにより、図６Ｂ及び図７Ａに示したように、ピニオン１２２ｂ−１がラック１１２の長手方向中央位置で噛み合った状態となり、スラット４２０が水平状態となる。
【００５０】
次に、図５Ｄを参照しながら、第１のサッシ２００と第２のサッシ３００とが開放されているときに、操作つまみ１１３を操作してしまい、回転摺動部１２２ａが回転してしまった状態で、第１のサッシ２００と第２のサッシ３００とを閉鎖する場合について説明する。
【００５１】
このような状態では、操作つまみ１１３は、第１開口部２１１の長手方向中央からずれた位置に有り、ピニオン１２２ｂ−１もラック１１２の長手方向中央からずれた位置で噛み合っている。
【００５２】
このような状態で、第１のサッシ２００と第２のサッシ３００とを閉鎖すると、図５Ｄ（ａ）に示したように、下枠２１０と下枠３１２とが重なり合い、回転摺動部１２２ａの位置と、摺動部１３２ｂの位置とが一致する。しかし、図５Ｄ（ｂ）に示したように、回転摺動部１２２ａの第１係合部１２２ａ−１の位置と、回転部１３２ａの第２係合部１３２ａ−１の位置とが一致していないため、図５Ｄ（ａ）に示したように、回転摺動部１２２ａが回転部１３２ａの端部に当接する。これにより、回転摺動部１２２ａが第１バネ１２３の弾性力に抗して後退方向に摺動し、円筒状支持部１２１ａ内に収容される。
【００５３】
このように、第１係合部１２２ａ−１と第２係合部１３２ａ−１の位置がずれている状態では、第１のサッシ２００と第２のサッシ３００とを閉鎖しても、第１係合部１２２ａ−１と第２係合部１３２ａ−１とが係合しないため、回転摺動部１２２ａの回転が回転部１３２ａに伝達されない状態となっている。また、上述のように、操作部１１０も操作つまみ１１３の位置やラック１１２とピニオン１２２ｂ−１の位置がずれてしまっている。
【００５４】
そこで、第１のサッシ２００と第２のサッシ３００とを閉鎖した状態で、室内から操作者が操作つまみ１１３を第１開口部２１１の長手方向中央位置まで摺動させる。これにより、摺動部１１１が下枠２１０内を長手方向に摺動するため、これと一体にラック１１２が摺動し、ピニオン１２２ｂ−１によって回転部１２２ｂ及び回転摺動部１２２ａが一体に回転する。そして、第１係合部１２２ａ−１が第２係合部１３２ａ−１と一致する位置まで回転すると、回転摺動部１２２ａが第１バネ１２３の押圧力により、円筒状支持部１２１ａから突出する方向に摺動する。これにより、第１係合部１２２ａ−１と第２係合部１３２ａ−１とが係合して、回転摺動部１２２ａの回転が回転部１３２ａに伝達される状態になる。このときの操作つまみ１１３の位置は、上述のように、第１開口部２１１の長手方向中央にあり、ピニオン１２２ｂ−１はラック１１２の長手方向中央位置で噛み合う状態となっており、操作部１１０は正常な位置に戻っている。
【００５５】
このように、回転摺動部１２２ａと回転部１３２ａとは、互いの係合部１２２ａ−１、１３２ａ−１が係合するまでは相対的に回転し、回転摺動部１２２ａの第１係合部１２２ａ−１が正常な位置に戻ると、回転部１３２ａの第２係合部１３２ａ−１と係合するため、操作部１１０の位置がリセットされ、駆動軸１２２と従動軸１３２とを正常な位置関係に戻すことができる。
【００５６】
以上説明したように、本実施形態によれば、室外側に配置される第２のサッシ３００に備えられるブラインド４００の駆動を操作する操作部１１０が、室内側に配置される第１のサッシ２００に設けられており、第２のサッシ３００の下枠３１２と第１のサッシ２００の下枠２１０が重なり合うことにより、操作部１１０の操作がブラインド４００に伝達されるようにした。このため、第１のサッシ２００と第２のサッシ３００を閉鎖した状態で、操作部１１０を室内側に露出させるために、第２のサッシ３００の第１のサッシ２００と重なり合わない部分に操作部１１０を配置する必要がない。したがって、第２のサッシ３００の開口を狭める必要がないので、第２のサッシ３００の開口部の面積を広くとることができる。
【００５７】
また、駆動軸１２２と従動軸１３２との動力の伝達は、互いの係合部１２２ａ−１、１３２ａ−１同士が係合することによって行われるため、確実に動力を伝達することができる。
【００５８】
さらに、例えば、第１のサッシ２００と第２のサッシ３００が開放されているときに、操作つまみ１１３が誤操作されて駆動軸１２２が回転し、駆動軸１２２と回転部１３２ａの係合部１２２ａ−１、１３２ａ−１同士の位置がずれてしまった場合、第１のサッシ２００と第２のサッシ３００を閉鎖しても、回転摺動部１２２ａの第１係合部１２２ａ−１が回転部１３２ａに当接して、円筒状支持部１２１ａ内に収容された状態となる。このため、駆動軸１２２と回転部１３２ａの係合部１２２ａ−１、１３２ａ−１同士が係合することがない。これにより、操作つまみ１１３を操作しても、駆動軸１２２から従動軸１３２に動力が伝達されないので、誤操作を防止することができる。
【００５９】
また、駆動軸１２２の第１係合部１２２ａ−１が正常な位置に戻るまでは、従動軸１３２の第２係合部１３２ａ−１と係合しないため、操作部１１０の位置がリセットされ、駆動軸１２２と従動軸１３２とを正常な位置関係に戻すことができる。
【００６０】
さらに、第１のサッシ２００と第２のサッシ３００とが開放されているときなどのように、駆動部１２０と従動部１３０とが離間しているときに、回転部１３２ａの開口端部が第２バネ１３３によって押圧される摺動部１３２ｂの底部によって塞がれる。このため、従動部ケース１３１内にゴミやほこりなどの異物が侵入することを防止することができる。
【００６１】
なお、本実施形態においては、駆動装置１００を第１のサッシ２００の下枠２１０と第２のサッシ３００の下枠３１２に設けたが、それぞれのサッシ１１０、１２０の側枠に設けてもよい。
【００６２】
また、第１のサッシ２００と第２のサッシ３００を引違いのサッシとし、両サッシ２００、３００にブラインド４００をそれぞれ配置したものとしてもよい。これにより、第１のサッシ２００と第２のサッシ３００の重なり合う枠に本実施形態の駆動装置１００を設けて、室外側の第２のサッシ３００のブラインド４００の駆動を室内側の第１のサッシ２００に設けた操作部１１０で操作するようにしてもよい。
【００６３】
（第２の実施形態）
第２の実施形態に係る駆動装置１００について、図８を参照しながら説明する。本実施形態に係る駆動装置１００は、第１の実施形態のように、サッシに設けられるブラインドを駆動するものではなく、窓枠に取付けられる通常のブラインドを駆動するものである。すなわち、本実施形態に係る駆動装置１００は、窓枠に固定される図示していないヘッドボックスに設けられて、このヘッドボックスに支持されるスラットを駆動するためのものである。以下に、本実施形態に係る駆動装置１００の詳細を説明するが、第１の実施形態と同様の部分については重複説明を省略する。
【００６４】
駆動装置１００は、第１の実施形態と同様に、操作部１１０と、操作部１１０の操作により駆動される駆動部１２０と、駆動部１２０に連結されることにより動力が伝達されてブラインドを駆動する従動部１３０と、を備えて構成される。しかし、第１の実施形態とは異なり、伝達部１３４は備えておらず、従動部１３０が回転軸４４０に直接設けられている構成である。以下、操作装置１００の各構成について詳細に説明する。
【００６５】
（操作部１１０）
操作部１１０は、第１の実施形態の摺動部１１１及びラック１１２に相当する操作プーリ１１５と、操作プーリ１１５に巻き掛けられる、第１の実施形態の操作つまみ１１３に相当する操作チェーン１１６と、により構成される。操作チェーン１１６を操作することにより操作プーリ１１５が回転駆動される。
【００６６】
（駆動部１２０）
駆動部１２０は、駆動ケース１２１が操作プーリ１１５の一方の面から回転軸方向に突出する構成であり、駆動軸１２２の図示していない回転部１２２ｂが操作プーリ１１５に一体回転するように連結されている。その他の構成は、第１の実施形態と同様である。
【００６７】
（従動部１３０）
従動部１３０は、前述のようにヘッドボックス内に配設された回転軸４４０の一端に直接取付けられている構成であり、図８に示したように、円筒状の形状を有する従動部ケース１３１と、従動軸１３２の回転部１３２ａとが回転軸４４０と一体に回転するように連結されている。その他の構成は、第１の実施形態と同様である。
【００６８】
駆動部１２０と従動部１３０は、第１の実施形態と同様に、第１係合部１２２ａ−１の位置と第２係合部１３２ａ−１の位置とが一致していないときには、駆動軸１２２と従動軸１３２とが相対回転して連結されないため、駆動軸１２２の回転が従動軸１３２に伝達されない。一方、第１係合部１２２ａ−１の位置と第２係合部１３２ａ−１の位置とが一致した状態でのみ駆動軸１２２と従動軸１３２は連結されて、駆動部１２０から従動部１３０に動力が伝達される。これにより、駆動部１２０の駆動軸１２２の回転位置を従動部１３２の従動軸１３２の回転位置に一致させて連結することができる。よって、駆動軸１２２の回転位置と従動軸１３２の回転位置とが変わることによって生じる、操作プーリ１１５に巻き掛けられた操作チェーン１１６のコネクタが操作プーリ１１５に引っ掛ってしまい操作できなくなる、ということを防止することができる。
【００６９】
また、駆動部１２０と従動部１３０とを常に適正な状態で連結することができるため、駆動部１２０を一旦取外して、再び従動部１３０に取付けたり、駆動部１２０や操作部１１０が故障した際に、新しいものに付け替えたりすることが容易になる。さらに、ヘッドボックスの左右両端部に、従動部１３０を設けておくことにより、駆動部１２０及び操作部１１０をヘッドボックスの両端部のどちらにでも任意に取付けることができる。
【００７０】
（第３の実施形態）
第３の実施形態に係る駆動装置１００について、図９を参照しながら説明する。本実施形態に係る駆動装置１００は、第２の実施形態の駆動装置１００の操作部１１０全体を電動モータ１１７にし、駆動部ケース１２１の形状を変更したものであり、その他の部分については第２の実施形態と同様である。以下に、本実施形態に係る駆動装置１００の詳細を説明するが、第２の実施形態と同様の部分については重複説明を省略する。
【００７１】
電動モータ１１７の図示していない出力軸が駆動部１２０の駆動軸１２２を構成する図示していない回転部１２２ｂに一体回転するように連結されており、これにより電動モータ１１７の駆動により駆動軸１２２が回転する。
【００７２】
本実施形態の駆動部１２０と従動部１３０の連結も第２の実施形態と同様に行われ、第１係合部１２２ａ−１の位置と第２係合部１３２ａ−１の位置とが一致した状態でのみ連結が行われるようになっているため、駆動軸１２２の回転位置と従動軸１３２の回転位置を一致させた状態で連結することができる。
【００７３】
また、本実施形態の駆動部１２０も従動部１３０に対して着脱自在であるため、第２の実施形態と同様に、駆動部１２０及びモータ１１７を付け替えたり、ヘッドボックスの両端部のどちらにでも任意に取付けることができる。
【００７４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものである。
【００７５】
なお、上記各実施形態においては、駆動装置１００をスラット４２０の回転を行うものとしたが、スラット４２０の昇降や、回転及び昇降の両方を行うものとしてもよい。また、ブラインド４００としてベネシャンブラインドを例示したが、これ以外にも、バーチカルブラインド、ロールスクリーン、プリーツスクリーン、たくし上げカーテン等に適用できることは言うまでもなく、スラット４２０の代わりにルーバー、スクリーン、カーテン等の遮蔽材の開閉を行うものとしてもよい。
【符号の説明】
【００７６】
１００  駆動装置
１１０  操作部
１２０  駆動部
１２２  駆動軸
１２２ａ−１  第１係合部
１２３  第１バネ（第１付勢手段）
１３０  従動部
１３２  従動軸
１３２ａ−１  第２係合部
１３３  第２バネ（第２付勢手段）
２００  第１のサッシ
３００  第２のサッシ
４００  ブラインド
【図１】
2015117537.tif 000003
【図２】
2015117537.tif 000004
【図３】
2015117537.tif 000005
【図４】
2015117537.tif 000006
【図５Ａ】
2015117537.tif 000007
【図５Ｂ】
2015117537.tif 000008
【図５Ｃ】
2015117537.tif 000009
【図５Ｄ】
2015117537.tif 000010
【図６Ａ】
2015117537.tif 000011
【図６Ｂ】
2015117537.tif 000012
【図６Ｃ】
2015117537.tif 000013
【図７Ａ】
2015117537.tif 000014
【図７Ｂ】
2015117537.tif 000015
【図８】
2015117537.tif 000016
【図９】
2015117537.tif 000017
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
室内側に設けられる第１のサッシ（２００）と、室外側に設けられ、ブラインド（４００）を備えた第２のサッシ（３００）とからなるサッシ組に設けられて、前記ブラインドを駆動するためのブラインドの駆動装置（１００）であって、
前記第１のサッシに設けられる操作部（１１０）と、
前記第１のサッシに設けられて、前記操作部の操作により駆動される駆動部（１２０）と、
前記第２のサッシに設けられて、前記サッシ組の閉鎖状態において、前記第１のサッシの前記駆動部と連結されることにより動力が伝達されて前記ブラインドを駆動し、前記サッシ組の開放状態において、前記連結が解除される従動部（１３０）と、
を備えたことを特徴とするブラインドの駆動装置。
【請求項２】
前記駆動部は駆動軸（１２２）を、前記従動部は従動軸（１３２）をそれぞれ備え、
前記駆動軸と前記従動軸のうちの少なくともどちらか一方が、付勢手段（１２３、１３３）によって第１のサッシと第２のサッシの互いに対向する面よりも突出しているとともに軸方向に摺動自在であり、かつ前記駆動軸と前記従動軸の両方が軸の周りに回転自在であり、
前記駆動軸と前記従動軸には、互いに係合する係合部（１２２ａ−１、１３２ａ−１）がそれぞれ設けられており、
前記駆動軸と前記従動軸とは、互いの係合部が係合することにより一体に回転することを特徴とする請求項１記載のブラインドの駆動装置。
【請求項３】
前記駆動軸と前記従動軸とは、互いの係合部が係合していないときは一方の軸が他方の軸を互いに係合することができない位置まで軸方向に押圧することを特徴とする請求項２記載のブラインドの駆動装置。
【請求項４】
前記駆動軸と前記従動軸とは、互いの係合部が係合するまでは相対的に回転することを特徴とする請求項２又は請求項３記載のブラインドの駆動装置。
【請求項５】
前記駆動軸は前記第１付勢手段（１２３）によって常時付勢されており、
前記従動軸は、前記第２付勢手段（１３３）によって前記従動軸の先端が前記第２のサッシの室内側の面と面一となるように常時付勢されており、前記第２付勢手段の付勢力が前記第１付勢手段の付勢力よりも小さく設定されていることを特徴とする請求項２〜請求項４のいずれか１項に記載のブラインドの駆動装置。
【請求項６】
窓枠に取付けられたブラインドを駆動するためのブラインドの駆動装置であって、
前記ブラインドに着脱自在に取付けられ、前記ブラインドの駆動を操作する操作部と、
駆動軸（１２２）を有し、前記ブラインドに着脱自在に取付けられ、前記操作部の操作により駆動される駆動部と、
従動軸（１３２）を有し、前記ブラインドに設けられて、前記駆動部と連結することにより動力が伝達されて前記ブラインドを駆動する従動部と、
を備え、
前記駆動軸と前記従動軸のうちの少なくともどちらか一方が、付勢手段（１２３、１３３）によって軸方向に摺動自在であり、かつ前記駆動軸と前記従動軸の両方が軸の周りに回転自在であり、
前記駆動軸と前記従動軸には、互いに係合する係合部（１２２ａ−１、１３２ａ−１）がそれぞれ設けられており、
前記駆動軸と前記従動軸とは、互いの係合部が係合することにより一体に回転し、動力が伝達されることを特徴とするブラインドの駆動装置。